(57)【特許請求の範囲】
【請求項１】
ワイヤレス通信の方法であって、
第１のブロードキャスト信号を受信することと、
第１のカバレージ拡張（ＣＥ）レベルを使用して前記第１のブロードキャスト信号の少なくとも一部分の復号に成功したかどうかを決定することと、
前記第１のＣＥレベルを使用して前記第１のブロードキャスト信号の少なくとも一部分の復号に成功した場合、
後続のブロードキャスト信号を受信することと、
前記第１のＣＥレベルを使用して前記後続のブロードキャスト信号の少なくとも一部分の復号に成功したかどうかを決定することと
前記第１のカバレージ拡張（ＣＥ）レベルを使用して前記後続のブロードキャスト信号の復号に成功したかどうかに少なくとも部分的に基づいて、前記第１のＣＥレベルまたは第２のＣＥレベルに従って通信することと
を実行することと
を備える、方法。
【請求項２】
前記第１のＣＥレベルを使用して前記第１のブロードキャスト信号の復号に成功しなかったと決定することと、
前記第２のＣＥレベルを使用して前記第１のブロードキャスト信号の少なくとも前記一部分を復号すること、ここにおいて、前記第２のＣＥレベルは、前記第１のＣＥレベルよりも大きいカバレージ拡張を備え、前記通信は、前記第２のＣＥレベルに従う、と
をさらに備える、請求項１に記載の方法。
【請求項３】
前記第１のＣＥレベルを使用して復号に成功したブロードキャスト信号の数がしきい値を超えると決定することと、
前記第１のＣＥレベルを動作ＣＥレベルとして宣言すること、ここにおいて、前記通信は、前記第１のＣＥレベルに従う、と
をさらに備える、請求項１に記載の方法。
【請求項４】
前記第１のＣＥレベルまたは前記第２のＣＥレベルに従って通信することは、
前記第１のＣＥレベルまたは前記第２のＣＥレベルに関連するリソース上でランダムアクセスチャネル（ＲＡＣＨ）メッセージを送信することを備える、
請求項１に記載の方法。
【請求項５】
第１のＣＥレベルを使用して前記第１のブロードキャスト信号の少なくとも一部分の復号に成功したかどうかを決定することは、
前記第１のＣＥレベルを使用して前記第１のブロードキャスト信号の前記一部分をテスト復号することを備える、
請求項１に記載の方法。
【請求項６】
基準信号受信電力（ＲＳＲＰ）に少なくとも部分的に基づいてダウンリンク信号経路損失を測定することと、
前記測定された経路損失に少なくとも部分的に基づいて前記第１のＣＥレベルを選択することと
をさらに備え、
前記第１のＣＥレベルを使用して前記ブロードキャスト信号の復号に成功しなかったと決定することと、
前記ブロードキャスト信号の復号に成功しなかったという前記決定に少なくとも部分的に基づいて、前記第２のＣＥレベルを選択することと
をさらに備える、請求項１に記載の方法。
【請求項７】
前記第１のブロードキャスト信号は、物理ブロードキャストチャネル（ＰＢＣＨ）を備える、請求項１に記載の方法。
【請求項８】
前記第１のＣＥレベルおよび前記第２のＣＥレベルは、ＣＥレベルのセットから選択され、前記セットの各ＣＥレベルは、異なるカバレージ拡張値に対応する、請求項１に記載の方法。
【請求項９】
前記第１のブロードキャスト信号は、第３のＣＥレベルに従って送信され、前記第１のＣＥレベルは、前記第３のカバレージ拡張（ＣＥ）レベルよりも小さいカバレージ拡張を備える、
請求項１に記載の方法。
【請求項１０】
ワイヤレス通信のための装置であって、
第１のブロードキャスト信号を受信するための手段と、
第１のカバレージ拡張（ＣＥ）レベルを使用して前記第１のブロードキャスト信号の少なくとも一部分の復号に成功したかどうかを決定するための手段と、
後続のブロードキャスト信号を受信するための手段と、
前記第１のＣＥレベルを使用して前記後続のブロードキャスト信号の少なくとも一部分の復号に成功したかどうかを決定するための手段と、
前記第１のカバレージ拡張（ＣＥ）レベルを使用して前記後続のブロードキャスト信号の復号に成功したかどうかに少なくとも部分的に基づいて、前記第１のＣＥレベルまたは第２のＣＥレベルに従って通信するための手段と
を備え、前記装置は、前記後続のブロードキャスト信号を受信することと、前記第１のＣＥレベルを使用して前記第１のブロードキャスト信号の少なくとも一部分の復号に成功したかどうかを決定することと、第１のカバレージ拡張（ＣＥ）レベルを使用して前記第１のブロードキャスト信号の少なくとも一部分の復号に成功した場合、通信することとを実行するように適応される、装置。
【請求項１１】
前記第１のＣＥレベルを使用して前記第１のブロードキャスト信号の復号に成功しなかったと決定するための手段と、
前記第２のＣＥレベルを使用して前記第１のブロードキャスト信号の少なくとも前記一部分を復号するための手段、ここにおいて、前記第２のＣＥレベルは、前記第１のＣＥレベルよりも大きいカバレージ拡張を備え、前記通信するための手段は、前記第２のＣＥレベルに従って通信するように動作可能である、と
をさらに備える、請求項１０に記載の装置。
【請求項１２】
前記第１のＣＥレベルを使用して復号に成功したブロードキャスト信号の数がしきい値を超えると決定するための手段と、
前記第１のＣＥレベルを動作ＣＥレベルとして宣言するための手段、ここにおいて、前記通信は、前記第１のＣＥレベルに従う、と
をさらに備える、請求項１０に記載の装置。
【請求項１３】
前記第１のＣＥレベルまたは前記第２のＣＥレベルに従って前記通信するための手段は、
前記第１のＣＥレベルまたは前記第２のＣＥレベルに関連するリソース上でランダムアクセスチャネル（ＲＡＣＨ）メッセージを送信するための手段を備える、
請求項１０に記載の装置。
【請求項１４】
第１のＣＥレベルを使用して前記第１のブロードキャスト信号の少なくとも一部分の復号に成功したかどうかを前記決定するための手段は、
前記第１のＣＥレベルを使用して前記第１のブロードキャスト信号の前記一部分をテスト復号するための手段を備える、
請求項１０に記載の装置。
【請求項１５】
基準信号受信電力（ＲＳＲＰ）に少なくとも部分的に基づいてダウンリンク信号経路損失を測定するための手段と、
前記測定された経路損失に少なくとも部分的に基づいて前記第１のＣＥレベルを選択するための手段と
をさらに備え、
前記第１のＣＥレベルを使用して前記ブロードキャスト信号の復号に成功しなかったと決定するための手段と、
前記ブロードキャスト信号の復号に成功しなかったという前記決定に少なくとも部分的に基づいて、前記第２のＣＥレベルを選択するための手段と
をさらに備える、請求項１０に記載の装置。
【請求項１６】
前記ブロードキャスト信号は、物理ブロードキャストチャネル（ＰＢＣＨ）を備える、請求項１０に記載の装置。
【請求項１７】
前記第１のＣＥレベルおよび前記第２のＣＥレベルはＣＥレベルのセットから選択され、前記セットの各ＣＥレベルは、異なるカバレージ拡張値に対応する、請求項１０に記載の装置。
【請求項１８】
前記ブロードキャスト信号は、第３のＣＥレベルに従って送信され、前記第１のＣＥレベルは、前記第３のカバレージ拡張（ＣＥ）レベルよりも小さいカバレージ拡張を備える、
請求項１０に記載の装置。
【請求項１９】
コンピュータ上で実行されると、請求項１乃至９のいずれか１項に従う方法を実行する命令を備える、ワイヤレス通信のためのコードを備える、コンピュータプログラム。
【発明の詳細な説明】
【相互参照】
【０００１】
[0001]本特許出願は、各々が本出願の譲受人に譲渡された、２０１５年６月１９日に出願された、「Coverage Enhancement Level Determination」と題する、Ｗａｎｇらによる米国仮特許出願第６２／１８２，４０１号、および２０１６年６月１３日に出願された、「Coverage Enhancement Level Determination」と題する、Ｗａｎｇらによる米国特許出願第１５／１８０，２９７号の優先権を主張する。
【背景技術】
【０００２】
[0002]以下は、一般にワイヤレス通信に関し、より詳細には、マシンタイプ通信（ＭＴＣ）デバイスのためのカバレージ拡張（ＣＥ：coverage enhancement）レベル決定に関する。
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００４】
[0004]例として、ワイヤレス多元接続通信システムは、場合によってはユーザ機器（ＵＥ）として知られ得る、複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、通信デバイスと通信し得る。
【０００５】
[0005]いくつかのタイプのワイヤレスデバイスは、自動化された通信を提供し得る。自動化されたワイヤレスデバイスは、マシンツーマシン（Ｍ２Ｍ）通信またはマシンタイプ通信（ＭＴＣ）を実装するものを含み得る。Ｍ２ＭまたはＭＴＣは、デバイスが人の介入なしに互いにまたは基地局と通信することを可能にするデータ通信技術を指すことがある。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションとインタラクトする人間に情報を提示する、デバイスからの通信を指すことがある。
【０００６】
[0006]ＭＴＣデバイスは、情報を収集するかまたは機械の自動化された挙動を可能にするために使用され得る。ＭＴＣデバイスのための適用例の例としては、スマートメータリング、インベントリモニタリング、水位モニタリング、機器モニタリング、ヘルスケアモニタリング、野生生物モニタリング、天候および地質学的事象モニタリング、フリート管理およびトラッキング、リモートセキュリティ検知、物理的アクセス制御、ならびにトランザクションベースのビジネスの課金がある。
【０００７】
[0007]いくつかのワイヤレス通信システムは、システムロバストネスを増加させるＣＥ技法を採用し得る。より高いレベルのカバレージ拡張が、より低いレベルのカバレージ拡張に対してより信頼できる通信を提供するような、異なるレベルのカバレージ拡張があり得る。しかし、誤ったＣＥレベル選択が、送信失敗または増加されたバッテリー消費を生じ得る。
【発明の概要】
【０００８】
[0008]説明される特徴は、一般に、マシンタイプ通信（ＭＴＣ）デバイスによるカバレージ拡張（ＣＥ）レベル決定のための方法、システム、およびデバイスに関する。誤ったＣＥレベル選択を緩和するために、たとえば、ワイヤレスデバイス（たとえば、ＭＴＣ）は、特定のＣＥレベルを使用してブロードキャスト信号をテスト復号（test-decode）し得る。テスト復号が成功したかどうかに応じて、ワイヤレスデバイスは、選択されたＣＥレベルが、他のデバイスまたは基地局との通信をサポートするために適切であると決定し得る。いくつかの場合には、デバイスは、最小ＣＥレベルを選択し、ブロードキャストチャネルをテスト復号（たとえば、それの一部分を復号）し、次いで、テスト復号が成功した場合、最小ＣＥレベルを利用するか、またはテスト復号が成功しなかった場合、異なる、より高いＣＥレベルを選択し得る。デバイスは、他の測定を行う前にＣＥレベルを選択し得、または、いくつかの例では、デバイスは、ダウンリンク信号経路損失を測定し、次いで、それに応じてＣＥレベルを選択する。そのような場合、デバイスは、選択されたＣＥレベルを変更するために、ブロードキャスト信号テスト復号を使用し得る。
【０００９】
[0009]ワイヤレス通信の方法が説明される。本方法は、ブロードキャスト信号を受信することと、第１のＣＥレベルを使用してブロードキャスト信号の少なくとも一部分の復号に成功したかどうかを決定することと、第１のＣＥレベルを使用してブロードキャスト信号の復号に成功したかどうかに少なくとも部分的に基づいて、第１のＣＥレベルまたは第２のＣＥレベルに従って通信することとを含み得る。
【００１０】
[0010]ワイヤレス通信のための装置が説明される。本装置は、ブロードキャスト信号を受信するための手段と、第１のＣＥレベルを使用してブロードキャスト信号の少なくとも一部分の復号に成功したかどうかを決定するための手段と、第１のＣＥレベルを使用してブロードキャスト信号の復号に成功したかどうかに少なくとも部分的に基づいて、第１のＣＥレベルまたは第２のＣＥレベルに従って通信するための手段とを含み得る。
【００１１】
[0011]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、ブロードキャスト信号を受信することと、第１のＣＥレベルを使用してブロードキャスト信号の少なくとも一部分の復号に成功したかどうかを決定することと、第１のＣＥレベルを使用してブロードキャスト信号の復号に成功したかどうかに少なくとも部分的に基づいて、第１のＣＥレベルまたは第２のＣＥレベルに従って通信することとを行わせるように動作可能である。
【００１２】
[0012]ワイヤレス通信のためのコードを記憶する非一時的コンピュータ可読媒体が説明される。コードは、ブロードキャスト信号を受信することと、第１のカバレージ拡張ＣＥレベルを使用してブロードキャスト信号の少なくとも一部分の復号に成功したかどうかを決定することと、第１のＣＥレベルを使用してブロードキャスト信号の復号に成功したかどうかに少なくとも部分的に基づいて、第１のＣＥレベルまたは第２のＣＥレベルに従って通信することとを行うために実行可能な命令を含み得る。
【００１３】
[0013]本明細書で説明される方法、装置、または非一時的コンピュータ可読媒体のいくつかの例は、第１のＣＥレベルを使用してブロードキャスト信号の復号に成功しなかったと決定することと、第２のＣＥレベルを使用してブロードキャスト信号の少なくとも一部分を復号することと、ここにおいて、第２のＣＥレベルが、第１のＣＥレベルよりも大きいカバレージ拡張を備え、ここにおいて、通信が第２のＣＥレベルに従う、を行うためのプロセス、特徴、手段、または命令をさらに含み得る。追加または代替として、いくつかの例は、第１のＣＥレベルを使用してブロードキャスト信号の復号に成功したと決定することと、後続のブロードキャスト信号を受信することと、第１のＣＥレベルを使用して後続のブロードキャスト信号の少なくとも一部分の復号に成功したかどうかを決定することと、ここにおいて、第１のＣＥレベルまたは第２のＣＥレベルに従う通信は、第１のＣＥレベルを使用して後続のブロードキャスト信号の復号に成功したかどうかに少なくとも部分的に基づく、を行うためのプロセス、特徴、手段、または命令を含み得る。
【００１４】
[0014]本明細書で説明される方法、装置、または非一時的コンピュータ可読媒体のいくつかの例は、第１のＣＥレベルを使用して復号に成功したブロードキャスト信号の数がしきい値を超えると決定することと、第１のＣＥレベルを動作ＣＥレベルとして宣言することと、ここにおいて、通信が第１のＣＥレベルに従う、を行うためのプロセス、特徴、手段、または命令をさらに含み得る。追加または代替として、いくつかの例では、第１のＣＥレベルまたは第２のＣＥレベルに従って通信することは、第１のＣＥレベルまたは第２のＣＥレベルに関連するリソース上でランダムアクセスチャネル（ＲＡＣＨ：random access channel）メッセージを送信することを備える。
【００１５】
[0015]本明細書で説明される方法、装置、または非一時的コンピュータ可読媒体のいくつかの例では、第１のＣＥレベルを使用してブロードキャスト信号の少なくとも一部分の復号に成功したかどうかを決定することが、第１のＣＥレベルを使用してブロードキャスト信号の一部分をテスト復号することを備える。追加または代替として、いくつかの例は、基準信号受信電力（ＲＳＲＰ：reference signal received power）に少なくとも部分的に基づいてダウンリンク信号経路損失を測定することと、測定された経路損失に少なくとも部分的に基づいて第１のＣＥレベルを選択することとを行うためのプロセス、特徴、手段、または命令を含み得る。
【００１６】
[0016]本明細書で説明される方法、装置、または非一時的コンピュータ可読媒体のいくつかの例は、第１のＣＥレベルを使用してブロードキャスト信号の復号に成功しなかったと決定することと、ブロードキャスト信号の復号に成功しなかったという決定に少なくとも部分的に基づいて、第２のＣＥレベルを選択することとを行うためのプロセス、特徴、手段、または命令をさらに含み得る。追加または代替として、いくつかの例では、ブロードキャスト信号は物理ブロードキャストチャネル（ＰＢＣＨ：physical broadcast channel）を備える。
【００１７】
[0017]本明細書で説明される方法、装置、または非一時的コンピュータ可読媒体のいくつかの例では、第１のＣＥレベルおよび第２のＣＥレベルはＣＥレベルのセットから選択され、ここにおいて、セットの各ＣＥレベルは、異なるカバレージ拡張値に対応する。追加または代替として、いくつかの例では、ブロードキャスト信号は第３のＣＥレベルに従って送信され、ここにおいて、第１のＣＥレベルは、第３のＣＥレベルよりも小さいカバレージ拡張を備える。
【００１８】
[0018]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特徴、それらの編成と動作方法の両方は、関連する利点とともに、添付の図に関連して以下の説明を検討するとより良く理解されよう。図の各々は、例示および説明の目的でのみ与えられるものであり、特許請求の範囲の制限の定義として与えられるものではない。
【図面の簡単な説明】
【００１９】
[0019]本開示の態様は、以下の図を参照して説明される。
【図１】本開示の様々な態様による、カバレージ拡張（ＣＥ）レベル決定をサポートするワイヤレス通信システムの一例を示す図。
【図２】本開示の様々な態様による、ＣＥレベル決定をサポートするワイヤレス通信システムの一例を示す図。
【図３】本開示の様々な態様による、ＣＥレベル決定をサポートするシステムのためのプロセスフローの一例を示す図。
【図４】本開示の様々な態様による、ＣＥレベル決定をサポートするシステムのためのプロセスフローの一例を示す図。
【図５】本開示の様々な態様による、ＣＥレベル決定をサポートするワイヤレスデバイスのブロック図。
【図６】本開示の様々な態様による、ＣＥレベル決定をサポートするワイヤレスデバイスのブロック図。
【図７】本開示の様々な態様による、ＣＥレベル決定をサポートするワイヤレスデバイスのブロック図。
【図８】本開示の様々な態様による、ＣＥレベル決定をサポートする、ユーザ機器（ＵＥ）を含む、システムのブロック図。
【図９】本開示の様々な態様による、カバレージＣＥレベル決定のための方法を示す図。
【図１０】本開示の様々な態様による、ＣＥレベル決定のための方法を示す図。
【図１１】本開示の様々な態様による、ＣＥレベル決定のための方法を示す図。
【図１２】本開示の様々な態様による、ＣＥレベル決定のための方法を示す図。
【発明を実施するための形態】
【００２０】
[0032]ワイヤレスデバイス（たとえば、マシンタイプ通信（ＭＴＣ）デバイス）のカバレージ拡張（ＣＥ）必要の正確な決定は、システムロバストネスを増加させ得、ワイヤレスデバイスの寿命および性能を増加させ得る。カバレージ拡張必要は、特定のデバイスの無線リンク状態の関数であり得るかまたはそれに関連付けられ得、これは、以下で説明されるように、デバイスの物理的ロケーションに関連し得る。ワイヤレスシステムは、ワイヤレスデバイスとの成功した通信の可能性を改善するために、ＣＥ技法を実装し得る。いくつかの場合には、ワイヤレスシステムは、異なる（カバレージ拡大（coverage extension）とも呼ばれる）ＣＥレベルをサポートし得、それらの各々は、異なる量のＣＥを与え得る。たとえば、システムは、４つのＣＥレベル、すなわち、ＣＥ０、ＣＥ１、ＣＥ２、およびＣＥ３をサポートし得、それらの各々は異なるレベルの拡張に対応する。第１のＣＥレベル、ＣＥ０は拡張なし（たとえば、０ｄＢ）に対応し得、ＣＥ３はかなりの拡張（たとえば、１５ｄＢ）に対応し得、中間のＣＥレベルは、様々な程度の拡張（たとえば、５ｄＢ、１０ｄＢなど）に対応し得る。
【００２１】
[0033]ワイヤレスデバイスは、それのＣＥ必要を決定し得、したがって、それは、それの関連する無線リンク状態に従ってＣＥレベルを選択し得る。いくつかの場合には、複数のＣＥレベルの使用は、結合損失に対処するための様々なカテゴリを与え得る。対処オプション（coping option）におけるそのような変動性は、バッテリー寿命に関するワイヤレスデバイスのリソース管理に関して、ワイヤレスシステムに利益を与え得る。しかし、不正確なＣＥレベルを選択するデバイス（たとえば、それのＣＥ必要を不正確に測定するデバイス）は、その後、不十分な性能を受け得、たとえば、デバイスは、他のデバイス、基地局などとの通信に成功しないことがあり、デバイスは、不十分な電力管理に苦しむことがあり、たとえば、デバイスは、不十分に較正された設定により、それのバッテリーを急速に消耗させ得る。また、ＣＥレベルの決定は、特に、高いＣＥ必要を有するデバイスにとって重要なタスクである。
【００２２】
[0034]いくつかの場合には、ワイヤレスデバイスは、ダウンリンク信号強度を使用して経路損失を測定することによって、ＣＥレベルを決定し得る。しかしながら、このプロセスは、時間集約的であり得、いくつかの事例では、追加の検証プロシージャが取られない場合、誤ったものになり得る。その上、より大きいＣＥ必要を有するデバイスは、この経路損失測定方法を使用して誤った結果に到達する可能性が高くなり得る。例として、ＣＥ３のＣＥ必要またはＣＥレベルを有するＵＥは、それの必要を誤算する（たとえば、ＣＥ２、ＣＥ１、またはＣＥ０をＣＥレベルとして誤って選択する）可能性があり得る。このタイプの誤った決定の結果は、失敗した送信の連鎖反応となり得、これは、過大なバッテリー電力消費を生じ得る。
【００２３】
[0035]しかし、適切なＣＥレベル（たとえば、信頼できる通信のために十分な最低ＣＥレベル）を使用するワイヤレスデバイスは、送信電力レベル、送信繰返し、バッファリングなどを低減することによって、電力を温存し得る。さらに、ワイヤレスデバイスによる適切なＣＥレベル決定は、ワイヤレスデバイスと他のデバイスまたは基地局との間の不要な通信を低減し得、したがって、ネットワークリソースの効率的な利用を促進する。
【００２４】
[0036]いくつかの場合には、ＭＴＣデバイスなどのワイヤレスデバイスは、基地局からのブロードキャスト信号をテスト復号することによって、それのＣＥレベルを正しく決定し得る。たとえば、ワイヤレスデバイスは、テストＣＥレベルを選択し、基地局からのブロードキャスト信号を復号（たとえば、テスト復号）することを試み得る。テスト復号の結果に基づいて、ワイヤレスデバイスは、ＣＥレベルを変更するか、またはそれを維持することを選び得る。ワイヤレスデバイスは、たとえば、失敗したテスト復号に続く各復号試みのためにＣＥレベルが増加させられる、反復的プロセスを実装し得る。したがって、ワイヤレスデバイスは、Ｎ個の連続する成功したテスト復号試みを生じるテストＣＥレベルに基づいて、動作ＣＥレベルを選択し得る。いくつかの場合には、ワイヤレスデバイスは、経路損失測定値を使用してＣＥレベルを最初に決定するかまたは選択し得、ワイヤレスデバイスは、最初に選択されたＣＥレベルを用いてブロードキャスト信号をテスト復号することによって、決定を検証し得る。
【００２５】
[0037]以下の説明は、上記で説明された態様についてさらに説明し、追加の例を与えるものであり、しかしながら、説明は、特許請求の範囲に記載された範囲、適用可能性、または例を限定するものではない。本開示の範囲から逸脱することなく、説明された要素の機能および構成において変更が行われ得る。様々な例は、適宜に様々なプロシージャまたは構成要素を省略、置換、または追加し得る。たとえば、シナリオは、ＭＴＣデバイスに関して説明されるが、本明細書で説明される技法は、様々な他のタイプのワイヤレス通信デバイスおよびシステムとともに使用され得る。さらに、説明される方法は、説明される順序とは異なる順序で実行され得、様々なステップが追加、省略、または組み合わせられ得る。また、いくつかの例に関して説明される特徴は、他の例において組み合わせられ得る。
【００２６】
[0038]図１は、本開示の様々な態様による、ワイヤレス通信システム１００の一例を示す。ワイヤレス通信システム１００は、基地局１０５と、少なくとも１つのユーザ機器（ＵＥ）１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通して、コアネットワーク１３０とインターフェースする。基地局１０５は、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ２など）を介して互いと直接または間接的に（たとえば、コアネットワーク１３０を通して）通信し得る。ＵＥ１１５は、たとえば、基地局１０５から受信されたブロードキャスト信号をテスト復号することによってＣＥレベルを決定し得る、ＭＴＣデバイスであり得る。
【００２７】
[0039]基地局１０５は、１つまたは複数の基地局アンテナを介してＵＥ１１５とワイヤレス通信し得る。基地局１０５の各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００２８】
[0040]いくつかの例では、ワイヤレス通信システム１００はロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る第３世代パートナーシッププロジェクト（３ＧＰＰ（登録商標））用語である。システム１００は、いくつかの例では、３ＧＰＰによって指定されている様々なＣＥレベルをサポートし得る。
【００２９】
[0041]マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥ１１５による無制限アクセスを可能にし得る。フェムトセルは、小さい地理的エリア（たとえば、自宅）を同じくカバーし得、フェムトセルとの関連を有するＵＥ１１５（たとえば、限定加入者グループ（ＣＳＧ：closed subscriber group）中のＵＥ１１５、自宅内のユーザのためのＵＥ１１５など）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３０】
[0042]様々な開示される例のうちのいくつかに適応し得る通信ネットワークは、階層化プロトコルスタックに従って動作するパケットベースネットワークであり得、ユーザプレーン中のデータはＩＰに基づき得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッド自動再送要求（ＨＡＲＱ：hybrid automatic repeat request）を使用し得る。制御プレーンでは、無線リソース制御（ＲＲＣ）プロトコルレイヤは、ＵＥ１１５と基地局１０５との間のＲＲＣ接続の確立と構成と維持とを行い得る。ＲＲＣプロトコルレイヤはまた、ユーザプレーンデータのための無線ベアラのコアネットワーク１３０サポートのために使用され得る。物理（ＰＨＹ）レイヤにおいて、トランスポートチャネルは物理チャネルにマッピングされ得る。本明細書で説明されるように、ＵＥ１１５は、ＰＨＹレイヤにおいて送信され得る、ブロードキャスト信号をテスト復号することによって、ＣＥレベルを決定し得る。
【００３１】
[0043]したがって、データは、論理チャネルと、トランスポートチャネルと、物理レイヤチャネルとに分割され得る。チャネルはまた、制御チャネルとトラフィックチャネルとに分類され得る。論理制御チャネルは、ページング情報のためのページング制御チャネル（ＰＣＣＨ）と、ブロードキャストシステム制御情報のためのブロードキャスト制御チャネル（ＢＣＣＨ）と、マルチメディアブロードキャストマルチキャストサービス（ＭＢＭＳ）スケジューリングおよび制御情報を送信するためのマルチキャスト制御チャネル（ＭＣＣＨ）と、専用制御情報を送信するための専用制御チャネル（ＤＣＣＨ）と、ランダムアクセス情報のための共通制御チャネル（ＣＣＣＨ）と、専用ＵＥデータのためのＤＴＣＨと、マルチキャストデータのためのマルチキャストトラフィックチャネル（ＭＴＣＨ）とを含み得る。ＤＬトランスポートチャネルは、ブロードキャスト情報のためのブロードキャストチャネル（ＢＣＨ）と、データ転送のためのダウンリンク共有チャネル（ＤＬ−ＳＣＨ）と、ページング情報のためのページングチャネル（ＰＣＨ）と、マルチキャスト送信のためのマルチキャストチャネル（ＭＣＨ）とを含み得る。ＵＬトランスポートチャネルは、アクセスのためのランダムアクセスチャネル（ＲＡＣＨ）と、データのためのＵＬ共有チャネル（ＵＬ−ＳＣＨ）とを含み得る。ＤＬ物理チャネルは、ブロードキャスト情報（たとえば、ＣＥレベルを決定するかまたは検証するためにＵＥ１１５によってテスト復号されたブロードキャスト信号）のための物理ブロードキャストチャネル（ＰＢＣＨ）と、制御フォーマット情報のための物理制御フォーマットインジケータチャネル（ＰＣＦＩＣＨ）と、制御およびスケジューリング情報のための物理ダウンリンク制御チャネル（ＰＤＣＣＨ）と、ＨＡＲＱステータスメッセージのための物理ＨＡＲＱインジケータチャネル（ＰＨＩＣＨ）と、ユーザデータのための物理ダウンリンク共有チャネル（ＰＤＳＣＨ）と、マルチキャストデータのための物理マルチキャストチャネル（ＰＭＣＨ）とを含み得る。ＵＬ物理チャネルは、アクセスメッセージのための物理ランダムアクセスチャネル（ＰＲＡＣＨ）と、制御データのためのＰＵＣＣＨと、ユーザデータのための物理ＵＬ共有チャネル（ＰＵＳＣＨ）とを含み得る。
【００３２】
[0044]ＵＥ１１５は、ワイヤレス通信システム１００全体にわたって分散され得、各ＵＥ１１５は固定または移動であり得る。上述のように、ＵＥ１１５はＭＴＣデバイスであり得るが、本明細書で説明される技法は、様々なシステムにおいて使用され得る。ＵＥ１１５は、たとえば、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、あるいはそのように当業者によって呼ばれることもある。ＵＥ１１５は、マクロｅＮＢ、スモールセルｅＮＢ、中継基地局などを含む、様々なタイプの基地局およびネットワーク機器と通信することが可能であり得る。
【００３３】
[0045]ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は順方向リンク送信と呼ばれることもあり、ＵＬ送信は逆方向リンク送信と呼ばれることもある。各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【００３４】
[0046]ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のＵＬ  ＣＣとで構成され得る。キャリアアグリゲーションは、ＦＤＤコンポーネントキャリアとＴＤＤコンポーネントキャリアの両方とともに使用され得るが、ＣＥ下でのＭＴＣ  ＵＥ１１５は、他の非ＭＴＣ  ＵＥ１１５をサポートするために使用され得るシングルキャリア上で動作し得る。
【００３５】
[0047]ＬＴＥシステムは、ＤＬ上では直交周波数分割多元接続（ＯＦＤＭＡ）を利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ個）の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅に対して、１５キロヘルツ（ＫＨｚ）のサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。
【００３６】
[0048]ＬＴＥにおける時間間隔は、基本時間単位（たとえば、サンプリング期間、Ｔｓ＝１／３０，７２０，０００秒）の倍数単位で表され得る。時間リソースは、０から１０２３に及ぶシステムフレーム番号（ＳＦＮ）によって識別され得る、１０ｍｓの長さの無線フレーム（Ｔｆ＝３０７２００Ｔｓ）に従って編成され得る。各フレームは、０から９までの番号を付けられた１０個の１ｍｓサブフレームを含み得る。サブフレームは、その各々が（各シンボルにプリペンドされたサイクリックプレフィックスの長さに応じて）６つまたは７つの変調シンボル期間を含んでいる、２つの  ．５ｍｓスロットにさらに分割され得る。サイクリックプレフィックスを除いて、各シンボルは２０４８個のサンプル期間を含んでいる。いくつかの場合には、サブフレームは、送信時間間隔（ＴＴＩ）としても知られる、最も小さいスケジューリング単位であり得る。たとえば、ＴＴＩ（たとえば、ＬＴＥにおける１ｍｓ、１つのサブフレームの等価物）は、基地局１０５がＵＬ送信またはＤＬ送信のためにＵＥ１１５をスケジュールし得る最も小さい時間単位として定義され得る。たとえば、ＵＥ１１５がＤＬデータを受信している場合、各１ｍｓ間隔中に、基地局１０５は、リソースを割り当て、それのＤＬデータをどこで探すべきかを（ＰＤＣＣＨ送信を介して）ＵＥ１１５に示し得る。他の場合には、ＴＴＩは、サブフレームよりも短いことがあるか、または（たとえば、短いＴＴＩバーストにおいて、または短いＴＴＩを使用する選択されたコンポーネントキャリアにおいて）動的に選択され得る。
【００３７】
[0049]上述のように、ワイヤレス通信システム１００は、ＭＴＣ通信またはＭ２Ｍ通信などの自動化された通信を与え得る。たとえば、ＭＴＣ  ＵＥ１１５は、情報を測定またはキャプチャするためにセンサーまたはメーターを組み込み、情報を活用することができる中央サーバまたはアプリケーションプログラムにその情報を中継するか、あるいはプログラムまたはアプリケーションとインタラクトする人間に情報を提示する、デバイスであり得る。ＭＴＣ  ＵＥ１１５のための適用例の例としては、スマートメータリング、インベントリモニタリング、水位モニタリング、機器モニタリング、ヘルスケアモニタリング、野生生物モニタリング、天候および地質学的事象モニタリング、フリート管理およびトラッキング、リモートセキュリティ検知、物理的アクセス制御、ならびにトランザクションベースのビジネスの課金がある。いくつかの例では、ＭＴＣ  ＵＥ１１５は建築物内の深く（たとえば、地階）に位置し得、これは、それの無線リンクに著しくおよび負に影響を及ぼし得、今度は、高レベルのＣＥを必要とし得する。
【００３８】
[0050]ＭＴＣ  ＵＥ１１５は、アクティブ通信に関与していないとき、電力節約「ディープスリープ」モードに入るように構成され得る。いくつかの場合には、ＭＴＣ  ＵＥ１１５は、スリープ間隔と交互する通常送信間隔のために構成され得る。適切なＣＥレベルを用いて動作するＭＴＣ  ＵＥ１１５は、スリープ間隔（たとえば、間欠受信（ＤＲＸ））を使用して効果的に通信し得る。すなわち、適切なＣＥレベルを用いた効果的な通信が、消失した送信を回避し得、これは、たとえば、基地局１０５が、消失した送信をスリープ間隔として解釈することを回避し得る。
【００３９】
[0051]いくつかの場合には、ＭＴＣ  ＵＥ１１５は、制限された能力を有し得る。たとえば、いくつかのＭＴＣデバイスはブロードバンド能力を有し得、他のＭＴＣ  ＵＥ１１５は狭帯域通信に制限され得る。この狭帯域制限は、たとえば、基地局によってサービスされる全帯域幅を使用して制御チャネル情報または送信された基準信号を受信するＭＴＣ  ＵＥ１１５の能力に干渉し得る。ＬＴＥ技法を採用するものなど、いくつかのワイヤレス通信システムでは、制限された帯域幅能力を有するＭＴＣ  ＵＥ１１５（または同様の能力をもつ別のデバイス）は、カテゴリ０デバイスと呼ばれることがある。いくつかの事例では、いくつかの狭帯域周波数が、いくつかのＣＥレベルに関連し得、ＭＴＣ  ＵＥ１１５は、決定されたＣＥレベルに基づいて、それを用いて通信すべき狭帯域を選択し得る。
【００４０】
[0052]いくつかの例では、ＭＴＣ  ＵＥ１１５は低減されたピークデータレートを有し得る（たとえば、最大トランスポートブロックサイズは１０００ビットであり得る）。さらに、ＭＴＣ  ＵＥ１１５は、ランク１送信と、受信するための１つのアンテナとを有し得る。これは、ＭＴＣ  ＵＥ１１５を半二重通信に制限し得る（すなわち、デバイスは、同時に送信および受信することが可能でないことがある）。ＭＴＣ  ＵＥ１１５が半二重である場合、それは、（たとえば、送信（Ｔｘ）から受信（Ｒｘ）へのまたはその逆の）緩和された切替え時間を有し得る。たとえば、非ＭＴＣ  ＵＥ１１５のための公称切替え時間は２０μｓであり得、ＭＴＣデバイスのための切替え時間は１ｍｓであり得る。ワイヤレスシステム中のＭＴＣ拡張（ｅＭＴＣ）は、狭帯域ＭＴＣデバイスが、より広いシステム帯域幅動作（たとえば、１．４／３／５／１０／１５／２０ＭＨｚ）内で効果的に動作することを可能にし得る。たとえば、ＭＴＣ  ＵＥ１１５は、１．４ＭＨｚ帯域幅（すなわち、ＬＴＥシステム中の６つのリソースブロック）をサポートし得る。いくつかの事例では、そのようなＭＴＣデバイスのＣＥが、より信頼できる通信を提供するために採用され得る。カバレージ拡張は、たとえば、（たとえば、最高１５ｄＢの）電力ブースティングと、ビームフォーミングと、送信の冗長バージョンを与えるための送信時間間隔（ＴＴＩ）のバンドリングとを含み得る。
【００４１】
[0053]ワイヤレス通信システム１００は、たとえば、比較的不十分な無線状態において、あるいは、ＭＴＣ  ＵＥ１１５が比較的狭い帯域幅を使用して動作し得るか、または地階など、カバレージ制限されたロケーション中にある展開において、通信リンク１２５を改善するために、ＴＴＩバンドリングを採用し得る。ＴＴＩバンドリングは、冗長バージョンを再送信する前にデータが受信されなかったことを示すフィードバックを待つことではなく、連続または非連続ＴＴＩのグループ中で同じ情報の複数の冗長コピーを送ることを伴い得る。たとえば、ＰＢＣＨと、関連するメッセージとを含む、様々な物理チャネルは、ワイヤレス通信デバイスへの複数の冗長送信に関連し得る。いくつかの場合には、冗長バージョンの数は数十サブフレーム程度であり得、異なるチャネルは異なる冗長レベルを有し得る。
【００４２】
[0054]ＴＴＩバンドリングに加えて、または、それの代わりに、ワイヤレス通信システム１００は、ＣＥのための電力ブースティングを採用し得る。電力ブースト信号は、公称信号に対してより高い電力レベルにおいて通信される信号であり得る。いくつかの場合には、電力ブースティングの異なるレベルまたはＴＴＩバンドリングの異なる冗長レベルが、ＣＥの異なるレベルに関連し得る。すなわち、ＴＴＩバンドリングと電力ブースティングとの異なる組合せが、ＣＥレベルとしてカテゴリ分類され得る、信頼性の異なるレベルを生じ得る。いくつかの場合には、ＣＥレベルの信頼性またはロバストネスが、デシベル（ｄＢ）に関して測定または参照され得る。したがって、上述のように、利得（ｄＢ）の離散レベルに対応する別個のＣＥレベルがあり得る。
【００４３】
[0055]例として、４つのＣＥレベルが採用され得る。第１のＣＥレベル（たとえば、ＣＥ０）は、たとえば、０ｄＢ利得を与え得、第２のＣＥレベル（たとえば、ＣＥ１）は、５ｄＢ利得を与え得、第３のＣＥレベル（たとえば、ＣＥ２）は、１０ｄＢ利得を与え得、第４のＣＥレベル（たとえば、ＣＥ３）は、１５ｄＢ利得を与え得る。したがって、ＣＥのより高いレベルは、より低いレベルよりも、より大きい信頼性を与え得るか、またはより多くのカバレージを保証する傾向があり得、しかしながら、カバレージの増加は、そのような利得をサポートするために追加のリソース（たとえば、バッテリー電力）をも必要とし得る。カバレージ拡張は、カバレージ拡大またはカバレージ拡張拡大と呼ばれることもある。４つのＣＥレベルに関して説明されたが、ワイヤレス通信システム１００は、それらの各々が、本明細書で説明される技法を介して達成され得る、ＣＥの様々なレベルをサポートし得る。
【００４４】
[0056]本開示によれば、ＵＥ１１５などのワイヤレスデバイスは、それの通信状態および能力に対応する適切なＣＥレベルを決定し得る。たとえば、ＵＥは、不十分な通信状態のために高いＣＥレベルを選択し得る。言い換えれば、ＵＥは、不十分な通信状態（たとえば、有意な透過損失）を克服するＣＥレベルを選択し得、成功した通信の高い可能性を与える。ＣＥレベルは、受信されたブロードキャスト信号に対するテスト復号試みの結果によって決定され得る。いくつかの場合には、テスト復号試みは、それを用いてブロードキャスト信号が送信されたＣＥレベルよりも低いＣＥレベルにおいて実行され得る。ＵＥ１１５は、それの動作ＣＥレベルを、ブロードキャスト信号の成功した復号試みのＮ（すなわち、何らかのしきい値数）を生じるＣＥレベルとして選択し得る。冗長送信と電力ブースティングとを含むカバレージ拡張技法が、ＭＴＣ  ＵＥ１１５とともに採用され得るが、他のタイプのＵＥは、同様に、そのような技法を利用するかまたはそれから利益を得ることがある。
【００４５】
[0057]図２は、本開示の様々な態様による、ＣＥレベル決定をサポートするワイヤレス通信システム２００の一例を示す。ワイヤレス通信システム２００は、図１を参照しながら説明されたＵＥ１１５の一例であり得る、ＵＥ１１５−ａを含み得る。たとえば、図示のように、ＵＥ１１５−ａはＭＴＣ  ＵＥ１１５（たとえば、メーター）であり得る。ワイヤレス通信システム２００はまた、図１を参照しながら上記で説明された基地局１０５の一例であり得る、基地局１０５−ａを含み得る。基地局１０５−ａは、通信リンク１２５−ａを介してそれの地理カバレージエリア１１０−ａ内の任意のＵＥ１１５に制御およびデータを送信し得る。たとえば、通信リンク１２５−ａは、ＵＥ１１５−ａと基地局１０５−ａとの間の双方向通信を可能にし得る。
【００４６】
[0058]ワイヤレス通信システム２００は、上述のように、ＵＥ１１５−ａにネットワークへのアクセスを与え得る。しかしながら、通信リンク１２５−ａを確立するより前に、ＵＥ１１５−ａは、時間および周波数同期を実行し得る。たとえば、ＵＥ１１５−ａは、システム同期を開始するために、基地局１０５−ａからブロードキャストされた同期信号（たとえば、１次同期信号（ＰＳＳ）および２次同期信号（ＳＳＳ））を活用し得る。ＰＳＳおよびＳＳＳが収集された後、ＵＥ１１５−ａは、基地局１０５−ａに関連するセル識別情報を決定し、初期セル同期を完了し得る。さらに、ＵＥ１１５−ａは、ＰＢＣＨ上でマスタ情報ブロック（ＭＩＢ）を受信し得る。ＭＩＢは、ＵＥ１１５−ａがシステム情報ブロック（ＳＩＢ）（たとえば、ＳＩＢ１およびＳＩＢ２）からのシステム情報にアクセスすることを可能にする情報を伝達し得る。この情報を利用して、ＵＥ１１５−ａは、初期アクセスプロシージャを完了し、通信リンク１２５−ａを確立し得る。
【００４７】
[0059]ワイヤレス通信システム２００は、異なる能力および異なる通信環境をもつＵＥ１１５を含み得る。たとえば、ＵＥ１１５−ａは、基地局１０５−ａから比較的遠くに位置し得、他のデバイスとは異なる無線容量を有し得、したがって、ＵＥ１１５−ａは、ＵＥ１１５−ａが基地局１０５−ａの比較的近くにまたは異なる環境に（たとえば、建築物中ではなく戸外に）位置する場合に必要とされるであろうＣＥレベルとは異なるＣＥレベルを使用し得る。したがって、ＵＥ１１５は、それの環境（たとえば、サービング基地局１０５からの距離、雑音、干渉、透過損失など）に関連する通信状態に基づいてＣＥレベルを選択し得る。一例では、ＵＥ１１５−ａは、基地局からの信号が、伝搬中に悪影響（たとえば、減衰、雑音、干渉など）を経験するような、建築物の地階中にあり得る。したがって、ＵＥ１１５−ａは、（たとえば、電力ブースティングまたはＴＴＩバンドリングを介して）そのような悪影響を緩和するために、他のＵＥ１１５と比較して比較的高いＣＥレベル（たとえば、ＣＥ３）を利用し得る。
【００４８】
[0060]いくつかの場合には、ＵＥ１１５−ａは、どのＣＥレベルが状態に適しているかに気づいていないことがあり、たとえば、ＵＥ１１５−ａは、状態を克服するために十分なＣＥレベルに気づいていないことがあり、またはＵＥ１１５−ａは、初期セルアクセスを実行していることがある。そのような場合、ＵＥ１１５−ａは、それにおいて動作すべきＣＥレベルを決定するためのプロシージャを実行し得る。いくつかの場合には、ＵＥ１１５−ａは、ＵＥ１１５−ａと基地局１０５−ａとの間の経路損失を決定するために、ダウンリンク基準信号（たとえば、セル固有基準信号（ＣＲＳ））の信号強度を測定し得る。ＵＥ１１５−ａは、たとえば、基準信号受信電力（ＲＳＲＰ）に基づいてダウンリンク信号経路損失を測定し得る。経路損失に基づいて、ＵＥ１１５−ａは、適切なＣＥレベルを選択し得る。適切なＣＥレベルは、成功した送信を可能にする最も低いＣＥレベルであり得る。たとえば、ＵＥ１１５は、状態を克服するために十分でありながら最小コスト（たとえば、処理または電力コスト）を招く、ＣＥレベルを選択し得る。いくつかの場合には、（たとえば、透過損失が有意であるとき、）ダウンリンク信号は非常にひずんで作っており、したがって、ＵＥは、信号の誤った測定を行い得る。たとえば、ＣＥ３  ＵＥ１１５（たとえば、ＣＥ３によって達成される拡張を必要とするＣＥ必要を有するＵＥ）は、ＣＥ２、ＣＥ１、またはＣＥ０  ＵＥ１１５として決定され得る。ＣＥレベルを誤識別することは、上述のように、失敗した送信および過大な電力消費の連鎖反応を生じ得る。したがって、ＵＥ１１５−ａは、ＣＥレベルを決定または検証することの代替方法を有し得る。
【００４９】
[0061]たとえば、ＵＥ１１５−ａは、ＣＥレベルを決定するために、ブロードキャスト信号２０５（たとえば、ＭＩＢなど、ＰＢＣＨ）をモニタすることから獲得された情報を活用し得る。いくつかの場合には、ＵＥ１１５−ａは、ブロードキャスト信号２０５の一部分をテスト復号するために、初期ＣＥレベルを選択する。ＵＥ１１５−ａは、基地局１０５−ａによってブロードキャスト信号２０５に適用されたＣＥレベルよりも低いＣＥレベルにおいてブロードキャスト信号２０５をテスト復号することを選び得る。たとえば、基地局１０５−ａは、カバレージ拡張の最高レベル（たとえば、ＣＥ３）に関連するＴＴＩバンドリング方式を使用してブロードキャスト信号２０５を送信し得る。しかし、そのような場合、ＵＥ１１５−ａは、意図されたＣＥ３利得（たとえば、１５ｄＢ）を達成するためにブロードキャスト信号２０５の冗長バージョンの累積を待つ代わりに、より低いＣＥレベル（たとえば、ＣＥ０のテストＣＥレベル）においてブロードキャスト信号２０５を復号することを試み得る。復号が成功した場合、ＵＥ１１５−ａは検証プロシージャを実行し得る。たとえば、ＵＥ１１５−ａは、テストＣＥレベルを使用して新しいブロードキャスト信号を復号することによって、テストＣＥレベルが十分であることを検証し得る。同じテストＣＥレベルを使用してしきい値数の新しいブロードキャスト信号２０５の復号に成功した後、ＵＥ１１５−ａは、テストＣＥレベルをＵＥ１１５−ａの動作ＣＥレベルとして宣言し得る。言い換えれば、ＵＥ１１５−ａは、成功した復号試みの数がしきい値を超えたと決定した後、テストＣＥレベルをＵＥ１１５−ａの動作拡張レベルとして宣言し得る。
【００５０】
[0062]一方、第１のテスト復号が成功しなかった場合、ＵＥ１１５−ａは、テストＣＥレベルを（たとえば、ＣＥ１に）増加または増分し、新しいテストＣＥレベルを使用してブロードキャスト信号２０５を復号することを再び試み得る。すなわち、ＵＥ１１５−ａは、ブロードキャスト信号２０５がテストＣＥレベルに対応する利得（たとえば、５ｄＢ）を達成するまで、ブロードキャスト信号２０５を復号することを控え得る。ＵＥ１１５−ａは、復号が成功するまで、新しいＣＥレベルにおいてブロードキャスト信号をテスト復号し続け得る。成功したテスト復号の後に、ＵＥ１１５−ａは、上記で説明されたものなど、検証プロセスを実装し得る。いくつかの場合には、ＵＥ１１５−ａの動作ＣＥレベルが決定されると、ＵＥ１１５−ａは、選択されたＣＥレベルに基づいて、ランダムアクセスリソース（たとえば、物理ランダムアクセスチャネル（ＰＲＡＣＨ）リソース）を選択し得る。ランダムアクセスリソースは、ＵＥ１１５−ａに関連するカバレージ必要を基地局１０５−ａに示し得る。
【００５１】
[0063]いくつかのシナリオでは、ＵＥ１１５−ａは、オンザフライでブロードキャスト信号２０５を復号することを試み得、すなわち、ＵＥ１１５−ａは、各それぞれのＣＥレベルに関連する利得に達するために、信号の十分なバージョン（すなわち、繰返し）が受信されるとすぐに、各ＣＥレベルにおいてブロードキャスト信号をテスト復号し得る。たとえば、ＵＥ１１５−ａは、ブロードキャスト信号２０５が最低ＣＥレベル（たとえば、ＣＥ０）を達成した後に、ただし、それが次に高いＣＥレベル（たとえば、ＣＥ１）を達成する前に、ブロードキャスト信号２０５をテスト復号することを試み得る。テスト復号が失敗した場合、ＵＥ１１５−ａは、ブロードキャスト信号２０５を復号することを再び試みる前に、ブロードキャスト信号２０５が次に高いＣＥレベルに達するまで待ち得る。
【００５２】
[0064]他の場合には、ＵＥ１１５−ａは、オフラインでブロードキャスト信号２０５をテスト復号することを試み得る。たとえば、ＵＥ１１５−ａは、より低いＣＥレベル（たとえば、ＣＥ０）において復号することを試みる前に、カバレージ拡張の最も高いレベル（たとえば、ＣＥ３）に達するために十分な受信されたバージョンをバッファし得る。たとえば、最高ＣＥレベル（たとえば、ＣＥ３）に対応するバージョンの全数がバッファされた後に、ＵＥ１１５−ａは、最低ＣＥレベル（たとえば、ＣＥ０）に関連するいくつかのバージョンを選択し、組み合わせ得る。すなわち、ＵＥ１１５−ｂは、組み合わせるべきおよびテスト復号すべきバッファされたバージョンの一部分を選択し得る。冗長バージョンブロードキャスト信号２０５のテスト復号が失敗した場合、ＵＥ１１５−ａは、次に高いＣＥレベル（たとえば、ＣＥ１）が達せられるまで、バッファから追加のバージョンを選択し、組み合わせ得る。このプロセスは、ブロードキャスト信号の復号に成功するまで、異なるＣＥレベルにおいて繰り返され得る。
【００５３】
[0065]図３は、本開示の様々な態様による、ＣＥレベル決定をサポートするシステムのためのプロセスフロー図３００の一例である。図３００は、図１のシステム１００または図２のシステム２００内で採用されたＣＥ決定技法を示し得る。図３００は、図１または図２のＵＥ１１５および基地局１０５の例であり得る、ＵＥ１１５−ｂおよび基地局１０５−ｂを含む。ＵＥ１１５−ｂはＭＴＣ  ＵＥ１１５であり得、ＵＥ１１５−ｂおよび基地局１０５−ｂはＣＥ技法を採用していることがある。いくつかの場合には、図３００は、ランダムアクセスプロシージャの態様の一例であり得る。たとえば、図３００は、ＵＥ１１５−ｂがＰＳＳとＳＳＳとを収集した後に採用されるプロセスを示し得る。
【００５４】
[0066]３０５において、基地局１０５−ｂは、ブロードキャスト信号を送り、ＵＥ１１５−ｂは、それを受信する。ブロードキャスト信号は、高レベルのカバレージ拡張（たとえば、ＣＥ３）を用いて送信され得る。いくつかの場合には、ブロードキャスト信号は、ＰＢＣＨを使用して伝達されるＭＩＢを含む。３１０において、ＵＥ１１５−ｂはブロードキャスト信号をモニタする。いくつかの例では、ブロードキャスト信号をモニタすることは、信号によってサポートされるＣＥレベル（たとえば、ＣＥ３）よりも小さいテストＣＥレベル（たとえば、ＣＥ０）においてブロードキャスト信号をテスト復号することを含み得る。すなわち、ＵＥ１１５−ｂは、信号の利得が全潜在能力（たとえば、１５ｄＢ）に達する前に、ブロードキャスト信号を復号することを試み得る。いくつかの場合には、ＵＥ１１５−ｂは、信号を部分的に復号することを試み得る。たとえば、ＵＥ１１５−ｂは、信号の一部分のみを復号することを試み得る。追加または代替として、ＵＥ１１５−ｂは、最高ＣＥレベルが達成される前に、信号を復号することを試み得る。復号試みが成功した場合、ＵＥ１１５−ｂは、３２５に進み、動作ＣＥレベルを決定する。たとえば、ＵＥ１１５−ｂは、テスト復号ＣＥレベルをＵＥ１１５−ｂの実際の動作ＣＥレベルであるように選択し得る。
【００５５】
[0067]３１０における復号試みが成功しなかった場合、ＵＥ１１５−ｂは、３１５に進み、テストＣＥレベルを増加させる（たとえば、テストＣＥレベルはＣＥ１に増分され得る）。その後、３２０において、ＵＥ１１５−ｂは、新しいテストＣＥレベル（たとえば、ＣＥ１）に従ってブロードキャスト信号をモニタする。たとえば、ＵＥ１１５−ｂは、ブロードキャスト信号を復号することを試みる前に、５ｄＢの利得が達せられるまで待ち得る。復号が成功しなかった場合、ＵＥ１１５−ｂは、復号が成功するまで、ブロードキャスト信号の各後続のテスト復号についてテストＣＥレベルを増加させ続け得る。復号が成功した後、ＵＥ１１５−ｂは、３２５に進み、成功した復号を生じたテストＣＥレベルをそれの動作ＣＥレベルとして選択する。したがって、ＵＥ１１５−ｂは、ブロードキャスト信号モニタリングに基づいてそれのＣＥレベルを決定し得る。
【００５６】
[0068]いくつかのシナリオでは、ＵＥ１１５−ｂは、テストＣＥレベルを動作ＣＥレベルとして宣言する前に、テストＣＥレベルを検証し得る。たとえば、ＵＥ１１５−ｂは、後続のブロードキャスト信号を受信し、テストＣＥレベルを使用して各ブロードキャスト信号を復号することを試み得る。ＵＥ１１５−ｂは、成功した復号試みの数がしきい値を満たすまで、後続のブロードキャスト信号を復号し続け得る。Ｎ個の復号試みが成功した後、ＵＥ１１５−ｂは、ＵＥ１１５−ｂのテストＣＥレベルおよび動作ＣＥレベルを宣言し得る。いくつかの場合には、動作ＣＥレベルを宣言することは、動作ＣＥレベルを使用して通信することを含み得る。このまたは他の例では、動作ＣＥレベルを宣言することは、基地局１０５−ｂに動作ＣＥレベルのインジケーションを送ることを含み得る。
【００５７】
[0069]３３０において、ＵＥ１１５−ｂは、基地局１０５−ｂとの通信のためのランダムアクセスリソースを選択する。一例では、ランダムアクセスリソースは、ランダムアクセスプリアンブルを伝達するためのＰＲＡＣＨリソースであり得る。ランダムアクセス使用のために利用可能ないくつかのリソース（たとえば、狭帯域リソース）があり得、しかしながら、いくつかのリソースは、カバレージ拡張のいくつかのレベルに関連し得る。したがって、ＵＥ１１５−ｂは、３２５において選択されたＣＥレベルに対応するランダムアクセスプロシージャのためのリソースを選択し得る。３３５において、ＵＥ１１５−ｂは、３３０において選択されたリソースによって伝達されるＲＡＣＨプリアンブルを送信し、基地局１０５−ｂは、それを受信する。ＵＥ１１５−ｂは、決定されたＣＥレベルを送信に適用し得る。ＲＡＣＨプリアンブルを搬送するために使用されるリソースは、ＵＥ１１５−ｂのＣＥレベルを本質的に示し得る。したがって、基地局１０５−ｂは、ＲＡＣＨプリアンブルを伝達するために使用される周波数に基づいて、ＵＥ１１５−ｂのＣＥレベルを決定し得る。
【００５８】
[0070]図４は、本開示の様々な態様による、ＣＥレベル決定をサポートするシステムのためのプロセスフロー図４００の一例を示す。図４００は、図１のシステム１００または図２のシステム２００内で採用された初期ランダムアクセス技法の態様を示し得る。図４００は、図１または図２のＵＥ１１５および基地局１０５の例であり得る、ＵＥ１１５−ｃおよび基地局１０５−ｃを含む。ＵＥ１１５−ｃはＭＴＣ  ＵＥ１１５であり得、ＵＥ１１５−ｃおよび基地局１０５−ｃはＣＥ技法を採用していることがある。図４００は、ＵＥ１１５−ｃがＰＳＳおよびＳＳＳを収集した状況など、ランダムアクセスプロシージャの一例であり得る。
【００５９】
[0071]４０５において、基地局１０５−ｃは、ダウンリンク信号を送り、ＵＥ１１５−ｃは、それを受信する。いくつかの場合には、ダウンリンク信号は、ＣＲＳなど、基準信号であり得る。４１０において、ＵＥ１１５−ｃは、基地局１０５−ｃとＵＥ１１５−ｃとに関連する経路損失を決定するために、ダウンリンク信号の信号強度を測定する。４１５において、ＵＥ１１５−ｃは、経路損失に基づいてＣＥレベルを推定する。たとえば、ＵＥ１１５−ｃは、ＣＥレベルをＣＥ１であると推定し得る。４２０において、基地局１０５−ｃは、ブロードキャスト信号を送信し、ＵＥ１１５−ｃは、それを受信する。４２５に進むと、ＵＥ１１５−ｂはブロードキャスト信号をモニタする。たとえば、ＵＥ１１５−ｂは、ブロードキャスト信号が、推定されたＣＥレベルに従う利得に達すると、ブロードキャスト信号をテスト復号し得る。４３０において、テスト復号が成功した場合、ＵＥ１１５−ｃは、推定されたＣＥレベルを検証する。したがって、４３５において、ＵＥ１１５−ｃは、検証されたＣＥレベルに従ってリソースを選択する。４４０において、ＵＥ１１５−ｃは、選択されたランダムアクセスリソースによって伝達されるＲＡＣＨプリアンブルを送信し、基地局１０５−ｃは、それを受信する。
【００６０】
[0072]４２５におけるテスト復号が成功しなかった場合、ＵＥ１１５−ｃは、４０５に戻ることを選び得る。すなわち、ＵＥ１１５−ｃは、別のブロードキャスト信号を受信し、信号強度を測定し得る。いくつかのシナリオでは、ＵＥ１１５−ｃは、正しいＣＥレベルを決定するために、いくつのさらなる測定値がとられるべきかを決定し得る。ＵＥ１１５−ｃは、４２５におけるモニタすることに基づいて、測定値の数を決定し得る。測定を行った後に、ＵＥ１１５−ｃは４１５〜４３０に進み得る。（たとえば、４３０において）適切なＣＥレベルが検証された後、ＵＥ１１５−ｃは４３５および４４０に進み得る。
【００６１】
[0073]いくつかの場合には、４２５におけるテスト復号が失敗した場合、ＵＥ１１５−ｃは、図３を参照しながら説明されたような信号をモニタし得る。たとえば、４０５〜４１５を繰り返す代わりに、ＵＥ１１５−ｃは、成功した復号が達成されるまで、増加されたＣＥレベルを用いてブロードキャスト信号を反復的にテスト復号し得る。したがって、ＵＥ１１５−ｃは、推定されたＣＥレベルを、図３を参照しながら説明された再帰的テスト復号プロセスのための初期ＣＥレベルとして利用し得る。
【００６２】
[0074]図５は、本開示の様々な態様による、ＣＥレベル決定をサポートするワイヤレスデバイス５００のブロック図を示す。ワイヤレスデバイス５００は、図１〜図４を参照しながら説明されたＵＥ１１５の態様の一例であり得る。いくつかの場合には、ワイヤレスデバイス５００はＭＴＣデバイスである。ワイヤレスデバイス５００は、受信機５０５、カバレージ拡張レベルマネージャ５１０、または送信機５１５を含み得る。ワイヤレスデバイス５００はプロセッサをも含み得る。これらの構成要素の各々は互いと通信していることがある。
【００６３】
[0075]受信機５０５は、パケット、ユーザデータ、または様々な情報チャネルに関連する制御情報（たとえば、制御チャネル、データチャネル、およびＣＥレベル決定に関係する情報など）などの情報を受信し得る。いくつかの場合には、受信機５０５によって受信された情報は、ダウンリンク信号（たとえば、ＣＲＳ）またはブロードキャスト信号（たとえば、ＰＢＣＨ）によって伝達され得る。情報または信号は、カバレージ拡張レベルマネージャ５１０に、およびワイヤレスデバイス５００の他の構成要素に受け渡され得る。たとえば、受信機５０５は、受信されたブロードキャスト信号の一部または全部をデバイス５００の他の構成要素に中継し得る。いくつかの態様では、受信された信号の冗長バージョン（たとえば、ＭＩＢの繰返し）が、将来の使用のためにバッファに受け渡され得る。
【００６４】
[0076]カバレージ拡張レベルマネージャ５１０は、（たとえば、受信された５０５から）ブロードキャスト信号を受信し、ブロードキャスト信号の少なくとも一部分が第１のＣＥレベルを使用して復号に成功したかどうかを決定し得る。カバレージ拡張レベルマネージャ５１０は、ブロードキャスト信号が第１のＣＥレベルを使用して復号に成功したかどうかに基づいて、第１のＣＥレベルまたは第２のＣＥレベルに従って（たとえば、送信機５１５との共同によって）通信し得る。
【００６５】
[0077]送信機５１５は、ワイヤレスデバイス５００の他の構成要素から受信された信号を送信し得る。たとえば、送信機５１５は、ランダムアクセスメッセージ（たとえば、ＲＡＣＨプリアンブル）を送信し得る。いくつかの場合には、送信機は、信号および情報を送信するために、ワイヤレスデバイス５００の他の構成要素と共同し得る。追加または代替として、ワイヤレスデバイス５００の構成要素が、送信機５１５による送信を可能にし得る。いくつかの例では、送信機５１５は、トランシーバモジュール中で受信機５０５とコロケートされ得る。送信機５１５は単一のアンテナを含み得るか、またはそれは複数のアンテナを含み得る。
【００６６】
[0078]図６は、本開示の様々な態様による、ＣＥレベル決定をサポートするワイヤレスデバイス６００のブロック図を示す。ワイヤレスデバイス６００は、図１〜図５を参照しながら説明されたワイヤレスデバイス５００またはＵＥ１１５の態様の一例であり得る。いくつかの場合には、ワイヤレスデバイス６００はＭＴＣデバイスである。ワイヤレスデバイス６００は、受信機５０５−ａ、カバレージ拡張レベルマネージャ５１０−ａ、または送信機５１５−ａを含み得る。ワイヤレスデバイス６００はプロセッサをも含み得る。これらの構成要素の各々は互いと通信していることがある。カバレージ拡張レベルマネージャ５１０−ａはまた、ブロードキャスト情報モジュール６０５と、復号失敗検出器６１０と、ＣＥレベルセレクタ６１５とを含み得る。
【００６７】
[0079]受信機５０５−ａは、カバレージ拡張レベルマネージャ５１０−ａに、およびワイヤレスデバイス６００の他の構成要素に受け渡され得る情報および信号を受信し得る。カバレージ拡張レベルマネージャ５１０−ａは、図５を参照しながら説明された動作を実行し得る。送信機５１５−ａは、ワイヤレスデバイス６００の他の構成要素から受信された信号を送信し得る。
【００６８】
[0080]ブロードキャスト情報モジュール６０５は、図２〜図４を参照しながら説明されたように、ブロードキャスト信号を受信し得る。たとえば、ブロードキャスト情報モジュール６０５は、受信機５０５−ａからブロードキャスト信号を受信し得る。いくつかの場合には、ブロードキャスト信号は、ブロードキャスト信号の冗長バージョンであり得る。ブロードキャスト情報モジュール６０５は、ブロードキャスト信号の新しいまたは冗長バージョンであり得る、後続のブロードキャスト信号をも受信し得る。いくつかの例では、ブロードキャスト信号はＰＢＣＨである。
【００６９】
[0081]復号失敗検出器６１０は、図２〜図４を参照しながら説明されたように、第１のＣＥレベルを使用してブロードキャスト信号のある部分の復号に成功したかどうかを決定し得る。たとえば、復号失敗検出器はブロードキャスト信号のテスト復号をモニタし得る。いくつかの場合には、復号失敗検出器６１０は、第１のＣＥレベルを使用してブロードキャスト信号の復号に成功したと決定し得る。他の場合には、復号失敗検出器６１０は、第１のＣＥレベルを使用してブロードキャスト信号の復号に成功しなかったと決定し得る。したがって、復号失敗検出器６１０はテスト復号の結果を決定し得る。いくつかの場合には、復号失敗検出器６１０は、第１のＣＥレベルまたは第２のＣＥレベルに従う通信が、第１のＣＥレベルを使用してブロードキャスト信号の復号に成功したかどうかに基づき得るように、ワイヤレスデバイス６００の他の構成要素と通信し得る。
【００７０】
[0082]一例では、復号失敗検出器６１０はＣＥレベルセレクタ６１５と通信し得る。したがって、ＣＥレベル検出器は、復号試みの結果（たとえば、ブロードキャスト信号の復号に成功したかどうか）に基づいて、ＣＥレベルをワイヤレスデバイス６００の動作ＣＥレベルとして選択し得る。たとえば、復号失敗検出器６１０が、第１のＣＥレベルを使用してブロードキャスト信号の復号に成功したと決定した場合、ＣＥレベルセレクタ６１５は、第１のＣＥレベルをワイヤレスデバイス６００の動作ＣＥレベルとして選択し得る。一方、復号失敗検出器６１０が、第１のＣＥレベルを使用してブロードキャスト信号の復号に成功しなかったと決定した場合、ＣＥレベルセレクタ６１５は、第２のＣＥレベルをワイヤレスデバイス６００の動作ＣＥレベルとして選択し得る。動作ＣＥレベルが選択されると、ＣＥレベルセレクタは、選択されたレベル（たとえば、第１のＣＥレベルまたは第２のＣＥレベル）に従う通信を可能にし得る。したがって、選択されたＣＥレベルにおける通信は、図２〜図４を参照しながら説明されたように、第１のＣＥレベルを使用してブロードキャスト信号の復号に成功したかどうかに基づき得る。
【００７１】
[0083]いくつかのシナリオでは、ＣＥレベルセレクタ６１５は、選択されたＣＥレベルをワイヤレスデバイス６００の動作ＣＥレベルとして宣言し得る。たとえば、ＣＥレベルセレクタ６１５は、第１のＣＥレベルを動作ＣＥレベルとして宣言し得る。いくつかの場合には、ＣＥレベルセレクタ６１５は、測定された経路損失に基づいて第１のＣＥレベルを選択し得る。測定された経路損失は、ワイヤレスデバイス６００の異なる構成要素からＣＥレベルセレクタ６１５に通信され得る。いくつかの例では、第１のＣＥレベルおよび第２のＣＥレベルはＣＥレベルのセットから選択され、各ＣＥレベルは、異なるＣＥ値に対応する。
【００７２】
[0084]図７は、本開示の様々な態様による、ＣＥレベル決定をサポートするワイヤレスデバイス５００またはワイヤレスデバイス６００の構成要素であり得るカバレージ拡張レベルマネージャ５１０−ｂのブロック図７００を示す。カバレージ拡張レベルマネージャ５１０−ｂは、図５〜図６を参照しながら説明されたカバレージ拡張レベルマネージャ５１０の態様の一例であり得る。カバレージ拡張レベルマネージャ５１０−ｂは、ブロードキャスト情報モジュール６０５−ａと、復号失敗検出器６１０−ａと、ＣＥレベルセレクタ６１５−ａとを含み得る。これらのモジュールの各々は、図６を参照しながら説明された機能を実行し得る。カバレージ拡張レベルマネージャ５１０−ｂは、デコーダ７０５と、成功しきい値マネージャ７１０と、ランダムアクセスチャネル（ＲＡＣＨ）モジュール７１５と、経路損失モジュール７２０とをも含み得る。
【００７３】
[0085]デコーダ７０５は、受信機５０５−ａにおいて受信された、ブロードキャスト信号など、信号を復号し得る。いくつかの場合には、デコーダ７０５は、第１のＣＥレベルを使用してブロードキャスト信号の一部分をテスト復号し得る。復号失敗検出器６１０は、復号試みの成功を決定するために、復号試みをモニタするかまたはデコーダ７０５と通信し得る。したがって、第１のＣＥレベルを使用してブロードキャスト信号の一部分の復号に成功したかどうかを決定することは、第１のＣＥレベルを使用してブロードキャスト信号の一部分をテスト復号することを含み得る。いくつかの場合には（たとえば、第１のＣＥレベルを使用してテスト復号することが成功しなかったとき）、デコーダ７０５は、第２のＣＥレベルを使用してブロードキャスト信号の一部分を復号し得る。第２のＣＥレベルは、第１のＣＥレベルよりも大きいＣＥであり得る。いくつかの例では、受信機５０５−ａによって受信されたブロードキャスト信号は、第１のＣＥレベルおよび第２のＣＥレベルとは異なるＣＥレベルに従って送信され得る。たとえば、第３のＣＥレベルは、第１のＣＥレベルまたは第２のＣＥレベルよりも大きいＣＥレベルであり得る。
【００７４】
[0086]デコーダ７０５または復号失敗検出器６１０−ａは、成功しきい値マネージャ７１０と通信していることがある。たとえば、成功しきい値マネージャ７１０は、デコーダ７０５または復号失敗検出器６１０−ａから、復号試みがいつ成功したかを示す情報を受け渡され得る。成功しきい値マネージャ７１０は、特定のＣＥレベルについて成功したテスト復号試みの数をロギングまたはモニタし得る。たとえば、成功しきい値マネージャ７１０は、第１のＣＥレベルを使用して復号に成功したブロードキャスト信号の数を決定し得る。いくつかの場合には、成功しきい値マネージャ７１０は、図２〜図４を参照しながら説明されたように、第１のＣＥレベルを使用して復号に成功したブロードキャスト信号の数がしきい値を超えると決定し得る。たとえば、成功しきい値マネージャ７１０は、成功した復号試みの数をしきい値数と比較し得る。成功した復号試みの数がしきい値数を超える場合、ＣＥレベルセレクタは、対応するＣＥレベル（たとえば、第１のＣＥレベル）をワイヤレスデバイス６００の動作ＣＥレベルとして宣言し得る。
【００７５】
[0087]ＲＡＣＨモジュール７１５はランダムアクセス通信を担当し得る。たとえば、ＲＡＣＨモジュール７１５は、図２〜図４を参照しながら説明されたように、第１のＣＥレベルまたは第２のＣＥレベルに従って通信することが、第１のＣＥレベルまたは第２のＣＥレベルに関連するリソース上でＲＡＣＨメッセージ（たとえば、ＲＡＣＨプリアンブル）を送信することを含み得るように構成され得る。
【００７６】
[0088]経路損失モジュール７２０は、図２〜図４を参照しながら説明されたように、ＲＳＲＰに基づいてダウンリンク信号経路損失を測定し得る。たとえば、経路損失モジュール７２０は、ブロードキャスト信号（たとえば、ブロードキャスト情報モジュール６０５−ａから受信されたブロードキャスト信号）のＲＳＲＰを測定し、そのブロードキャスト信号に関連する経路損失を決定し得る。いくつかの場合には、経路損失モジュール７２０は、経路損失をＣＥレベルセレクタ６１５−ａに通信し得る。そのような事例では、ＣＥレベルセレクタ６１５−ａは、経路損失情報に基づいて第１のＣＥレベルを選択し得る。
【００７７】
[0089]図８は、本開示の様々な態様による、ＣＥレベル決定をサポートする、ＵＥ１１５−ｄを含むシステム８００の図を示す。ＵＥ１１５−ａは、図１、図２および図５〜図７を参照しながら説明されたワイヤレスデバイス５００、ワイヤレスデバイス６００、またはＵＥ１１５の一例であり得る。ＵＥ１１５−ｄは、図５〜図７を参照しながら説明されたカバレージ拡張レベルマネージャ５１０の一例であり得る、カバレージ拡張レベルマネージャ８１０を含み得る。ＵＥ１１５−ｄは、通信を送信するための構成要素と通信を受信するための構成要素とを含む、双方向音声およびデータ通信のための構成要素をも含み得る。たとえば、ＵＥ１１５−ｄは、基地局１０５−ｄまたはＵＥ１１５−ｅと双方向に通信し得る。
【００７８】
[0090]ＵＥ１１５−ｄは、プロセッサ８０５と、（ソフトウェア（ＳＷ）８２０を含む）メモリ８１５と、トランシーバ８３５と、１つまたは複数のアンテナ８４０とをも含み得、それらの各々は、（たとえば、バス８４５を介して）互いと直接または間接的に通信し得る。トランシーバ８３５は、上記で説明されたように、（１つまたは複数の）アンテナ８４０あるいはワイヤードリンクまたはワイヤレスリンクを介して、１つまたは複数のネットワークと双方向に通信し得る。たとえば、トランシーバ８３５は、基地局１０５または別のＵＥ１１５と双方向に通信し得る。トランシーバ８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｄは、単一のアンテナ８４０を含み得るが、ＵＥ１１５−ｄはまた、複数のワイヤレス送信をコンカレントに送信または受信することが可能な複数のアンテナ８４０を有し得る。
【００７９】
[0091]メモリ８１５は、ランダムアクセスメモリ（ＲＡＭ）および読取り専用メモリ（ＲＯＭ）を含み得る。メモリ８１５は、実行されたとき、プロセッサ８０５に本明細書で説明される様々な機能（たとえば、ＣＥレベル決定など）を実行させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに本明細書で説明される機能を実行させ得る。プロセッサ８０５は、インテリジェントハードウェアデバイス、（たとえば、中央処理ユニット（ＣＰＵ）、マイクロコントローラ、特定用途向け集積回路（ＡＳＩＣ）など）を含み得る。
【００８０】
[0092]ワイヤレスデバイス５００、ワイヤレスデバイス６００、カバレージ拡張レベルマネージャ５１０−ｂ、およびカバレージ拡張レベルマネージャ８１０の構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００８１】
[0093]図９は、本開示の様々な態様による、ＣＥレベル決定のための方法９００を示すフローチャートを示す。方法９００の動作は、図１〜図８を参照しながら説明されたように、ＵＥ１１５またはそれの構成要素によって実装され得る。たとえば、方法９００の動作は、図５〜図８を参照しながら説明されたように、カバレージ拡張レベルマネージャ５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。
【００８２】
[0094]ブロック９０５において、ＵＥ１１５は、図２〜図４を参照しながら説明されたように、ブロードキャスト信号を受信する。ブロードキャスト信号は、最高ＣＥレベルにおいて送信され得る。いくつかの例では、ブロック９０５の動作は、図６を参照しながら説明されたように、ブロードキャスト情報モジュール６０５によって実行され得る。いくつかの場合には、ＵＥ１１５は、ブロードキャスト信号の全部または一部分を復号することを試み得る。たとえば、ＵＥ１１５は、テストＣＥレベルを使用してブロードキャスト信号の一部分をテスト復号し得る。復号試みは、送信されたＣＥレベルよりも小さいＣＥレベル（たとえば、ＣＥ０など、第１のＣＥレベル）に従って実行され得る。ブロック９１０において、ＵＥ１１５は、図２〜図４を参照しながら説明されたように、第１のＣＥレベルを使用してブロードキャスト信号の少なくとも一部分の復号に成功したかどうかを決定する。いくつかの例では、ブロック９１０の動作は、図６を参照しながら説明されたように、復号失敗検出器６１０によって実行され得る。
【００８３】
[0095]ブロック９１５に進むと、ＵＥ１１５は、図２〜図４を参照しながら説明されたように、第１のＣＥレベルを使用してブロードキャスト信号の復号に成功したかどうかに少なくとも部分的に基づいて、第１のＣＥレベルまたは第２のＣＥレベルに従って通信する。いくつかの場合には、第１のＣＥレベルおよび第２のＣＥレベルは、それを用いてブロードキャスト信号が送信されたＣＥレベルよりも小さいＣＥを与える。いくつかの例では、ブロック９１５の動作は、図６を参照しながら説明されたように、ＣＥレベルセレクタ６１５によって実行されるかまたは可能にされ得る。一例では、ＵＥ１１５は、ＲＡＣＨプリアンブルなど、ＲＡＣＨメッセージを送信することによって、選択されたＣＥレベルに従って通信し得る。ＲＡＣＨメッセージは、選定されたＣＥレベルに少なくとも部分的に基づいて選択されたリソース上で送信され得る。
【００８４】
[0096]図１０は、本開示の様々な態様による、ＣＥレベル決定のための方法１０００を示すフローチャートを示す。方法１０００の動作は、図１〜図８を参照しながら説明されたように、ＵＥ１１５またはそれの構成要素によって実装され得る。たとえば、方法１０００の動作は、図５〜図８を参照しながら説明されたように、カバレージ拡張レベルマネージャ５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。方法１０００はまた、図９の方法９００の態様を組み込み得る。
【００８５】
[0097]ブロック１００５において、ＵＥ１１５は、図２〜図４を参照しながら説明されたように、ブロードキャスト信号を受信する。いくつかの例では、ブロック１００５の動作は、図６を参照しながら説明されたように、ブロードキャスト情報モジュール６０５によって実行され得る。いくつかの場合には、ＵＥ１１５は、第１のＣＥレベルに従ってブロードキャスト信号を復号することを試み得る。ブロック１０１０において、ＵＥ１１５は、図２〜図４を参照しながら説明されたように、第１のＣＥレベルを使用してブロードキャスト信号の復号に成功しなかったと決定する。いくつかの例では、ブロック１０１０の動作は、図６を参照しながら説明されたように、復号失敗検出器６１０によって実行され得る。
【００８６】
[0098]ブロック１０１５において、ＵＥ１１５は、図２〜図４を参照しながら説明されたように、第２のＣＥレベルを使用してブロードキャスト信号の少なくとも一部分を復号する。第２のＣＥレベルは、第１のＣＥレベルよりも大きいＣＥを与え得る。いくつかの例では、ブロック１０１５の動作は、図７を参照しながら説明されたように、デコーダ７０５によって実行され得る。
【００８７】
[0099]ブロック１０２０において、ＵＥ１１５は、図２〜図４を参照しながら説明されたように、第２のカバレージレベルに従って通信する。通信は、第１のＣＥレベルを使用する成功しなかった復号試みまたは第２のＣＥレベルを使用する成功した復号試みに少なくとも部分的に基づき得る。いくつかの例では、ブロック１０１５の動作は、図６を参照しながら説明されたように、ＣＥレベルセレクタ６１５によって実行されるかまたは可能にされ得る。
【００８８】
[0100]図１１は、本開示の様々な態様による、ＣＥレベル決定のための方法１１００を示すフローチャートを示す。方法１１００の動作は、図１〜図８を参照しながら説明されたように、ＵＥ１１５またはそれの構成要素によって実装され得る。たとえば、方法１１００の動作は、図５〜図８を参照しながら説明されたように、カバレージ拡張レベルマネージャ５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。方法１１００はまた、図９〜図１０の方法９００、および１０００の態様を組み込み得る。
【００８９】
[0101]ブロック１１０５において、ＵＥ１１５は、図２〜図４を参照しながら説明されたように、ブロードキャスト信号を受信する。いくつかの例では、ブロック１１０５の動作は、図６を参照しながら説明されたように、ブロードキャスト情報モジュール６０５によって実行され得る。
【００９０】
[0102]ブロック１１１０において、ＵＥ１１５は、図２〜図４を参照しながら説明されたように、第１のＣＥレベルを使用してブロードキャスト信号の復号に成功したと決定する。いくつかの例では、ブロック１１１０の動作は、図６を参照しながら説明されたように、復号失敗検出器６１０によって実行され得る。
【００９１】
[0103]ブロック１１１５において、ＵＥ１１５は、図２〜図４を参照しながら説明されたように、後続のブロードキャスト信号を受信する。いくつかの例では、ブロック１１１５の動作は、図６を参照しながら説明されたように、ブロードキャスト情報モジュール６０５によって実行され得る。
【００９２】
[0104]ブロック１１２０において、ＵＥ１１５は、図２〜図４を参照しながら説明されたように、第１のＣＥレベルを使用して後続のブロードキャスト信号の少なくとも一部分の復号に成功したかどうかを決定する。いくつかの例では、ブロック１１２０の動作は、図６を参照しながら説明されたように、復号失敗検出器６１０によって実行され得る。
【００９３】
[0105]ブロック１１２５において、ＵＥ１１５は、図２〜図４を参照しながら説明されたように、第１のＣＥレベルを使用して後続のブロードキャスト信号の復号に成功したかどうかに少なくとも部分的に基づいて、第１のＣＥレベルまたは第２のＣＥレベルに従って通信する。いくつかの例では、ブロック１１２５の動作は、図６を参照しながら説明されたように、ＣＥレベルセレクタ６１５によって実行されるかまたは可能にされ得る。
【００９４】
[0106]図１２は、本開示の様々な態様による、ＣＥレベル決定のための方法１２００を示すフローチャートを示す。方法１２００の動作は、図１〜図８を参照しながら説明されたように、ＵＥ１１５またはそれの構成要素によって実装され得る。たとえば、方法１２００の動作は、図５〜図８を参照しながら説明されたように、カバレージ拡張レベルマネージャ５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。方法１２００はまた、図９〜図１１の方法９００、１０００、および１１００の態様を組み込み得る。
【００９５】
[0107]ブロック１２０５において、ＵＥ１１５は、図２〜図４を参照しながら説明されたように、ブロードキャスト信号を受信する。いくつかの例では、ブロック１２０５の動作は、図６を参照しながら説明されたように、ブロードキャスト情報モジュール６０５によって実行され得る。ブロック１２１０において、ＵＥ１１５は、図２〜図４を参照しながら説明されたように、第１のＣＥレベルを使用してブロードキャスト信号の少なくとも一部分の復号に成功したかどうかを決定する。いくつかの例では、ブロック１２１０の動作は、図６を参照しながら説明されたように、復号失敗検出器６１０によって実行され得る。
【００９６】
[0108]ブロック１２１５において、ＵＥ１１５は、図２〜図４を参照しながら説明されたように、第１のＣＥレベルを使用して復号に成功したブロードキャスト信号の数がしきい値を超えると決定する。いくつかの例では、ブロック１２１５の動作は、図７を参照しながら説明されたように、成功しきい値マネージャ７１０によって実行され得る。
【００９７】
[0109]ブロック１２２０において、ＵＥ１１５は、図２〜図４を参照しながら説明されたように、第１のＣＥレベルをＵＥ１１５の動作ＣＥレベルとして宣言する。たとえば、ＵＥ１１５は、関連する基地局に動作ＣＥレベルを示し得る。インジケーションは、明示的である（たとえば、メッセージによって示される）かまたは暗黙的であり（たとえば、通信するために使用されるリソースによって示され）得る。いくつかの例では、ブロック１２２０の動作は、図６を参照しながら説明されたように、ＣＥレベルセレクタ６１５によって実行され得る。
【００９８】
[0110]ブロック１２２５において、ＵＥ１１５は、図２〜図４を参照しながら説明されたように、第１のＣＥレベルに従って通信する。通信は、成功しきい値の満足に少なくとも部分的に基づき得る。いくつかの例では、ブロック１２２５の動作は、図６を参照しながら説明されたように、ＣＥレベルセレクタ６１５によって実行されるかまたは可能にされ得る。
【００９９】
[0111]したがって、方法９００、１０００、１１００、および１２００は、ＣＥレベル決定を行い得る。方法９００、１０００、１１００、および１２００は可能な実装形態について説明していること、ならびに動作およびステップは、他の実装形態が可能であるように、並べ替えられるかまたは場合によっては変更され得ることに留意されたい。いくつかの例では、方法９００、１０００、１１００、および１２００のうちの２つまたはそれ以上からの態様が組み合わせられ得る。
【０１００】
[0112]本明細書での説明は、例を与えるものであり、特許請求の範囲に記載される範囲、適用可能性、または例を限定するものではない。本開示の範囲から逸脱することなく、説明された要素の機能および構成において変更が行われ得る。様々な例は、適宜に様々なプロシージャまたは構成要素を省略、置換、または追加し得る。また、いくつかの例に関して説明された特徴は、他の例において組み合わせられ得る。
【０１０１】
[0113]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。時分割多元接続（ＴＤＭＡ）システムは、グローバルシステムフォーモバイルコミュニケーション（ＧＳＭ（登録商標）：Global System for Mobile Communications）などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰロングタームエボリューション（ＬＴＥ）およびロングタームエボリューション（ＬＴＥ）アドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテ
レコミュニケーションズシステム（ＵＭＴＳ）、ＬＴＥ、ＬＴＥ−ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、ならびに他のシステムおよび無線技術のために使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１０２】
[0114]本明細書で説明された１つまたは複数のワイヤレス通信システム（たとえば、システム１００および２００）は、同期動作または非同期動作をサポートし得る。同期動作の場合、基地局は同様のフレームタイミングを有し得、異なる基地局からの送信は時間的に近似的にアラインされ得る。非同期動作の場合、基地局は異なるフレームタイミングを有し得、異なる基地局からの送信は時間的にアラインされないことがある。本明細書で説明された技法は、同期動作または非同期動作のいずれかのために使用され得る。
【０１０３】
[0115]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０１０４】
[0116]添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０１０５】
[0117]本明細書で説明された情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０６】
[0118]本明細書の開示に関して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１０７】
[0119]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１０８】
[0120]コンピュータ可読媒体は、ある場所から別の場所へのコンピュータプログラムの転送を可能にする任意の媒体を含む、非一時的コンピュータ記憶媒体とコンピュータ通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１０９】
[0121]本明細書の説明は、当業者が本開示を作成または使用することができるように与えられた。本開示への様々な変更は当業者には容易に明らかとなり、本明細書で定義した一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
ワイヤレス通信の方法であって、
ブロードキャスト信号を受信することと、
第１のカバレージ拡張（ＣＥ）レベルを使用して前記ブロードキャスト信号の少なくとも一部分の復号に成功したかどうかを決定することと、
前記第１のカバレージ拡張（ＣＥ）レベルを使用して前記ブロードキャスト信号の復号に成功したかどうかに少なくとも部分的に基づいて、前記第１のＣＥレベルまたは第２のＣＥレベルに従って通信することと
を備える、方法。
［Ｃ２］
前記第１のＣＥレベルを使用して前記ブロードキャスト信号の復号に成功しなかったと決定することと、
前記第２のＣＥレベルを使用して前記ブロードキャスト信号の少なくとも前記一部分を復号すること、ここにおいて、前記第２のＣＥレベルは、前記第１のＣＥレベルよりも大きいカバレージ拡張を備え、前記通信は、前記第２のＣＥレベルに従う、と
をさらに備える、［Ｃ１］に記載の方法。
［Ｃ３］
前記第１のＣＥレベルを使用して前記ブロードキャスト信号の復号に成功したと決定することと、
後続のブロードキャスト信号を受信することと、
前記第１のＣＥレベルを使用して前記後続のブロードキャスト信号の少なくとも一部分の復号に成功したかどうかを決定すること、ここにおいて、前記第１のＣＥレベルまたは前記第２のＣＥレベルに従う前記通信は、前記第１のＣＥレベルを使用して前記後続のブロードキャスト信号の復号に成功したかどうかに少なくとも部分的に基づく、と
をさらに備える、［Ｃ１］に記載の方法。
［Ｃ４］
前記第１のＣＥレベルを使用して復号に成功したブロードキャスト信号の数がしきい値を超えると決定することと、
前記第１のＣＥレベルを動作ＣＥレベルとして宣言すること、ここにおいて、前記通信は、前記第１のＣＥレベルに従う、と
をさらに備える、［Ｃ１］に記載の方法。
［Ｃ５］
前記第１のＣＥレベルまたは前記第２のＣＥレベルに従って通信することは、
前記第１のＣＥレベルまたは前記第２のＣＥレベルに関連するリソース上でランダムアクセスチャネル（ＲＡＣＨ）メッセージを送信することを備える、
［Ｃ１］に記載の方法。
［Ｃ６］
第１のＣＥレベルを使用して前記ブロードキャスト信号の少なくとも一部分の復号に成功したかどうかを決定することは、
前記第１のＣＥレベルを使用して前記ブロードキャスト信号の前記一部分をテスト復号することを備える、
［Ｃ１］に記載の方法。
［Ｃ７］
基準信号受信電力（ＲＳＲＰ）に少なくとも部分的に基づいてダウンリンク信号経路損失を測定することと、
前記測定された経路損失に少なくとも部分的に基づいて前記第１のＣＥレベルを選択することと
をさらに備える、［Ｃ１］に記載の方法。
［Ｃ８］
前記第１のＣＥレベルを使用して前記ブロードキャスト信号の復号に成功しなかったと決定することと、
前記ブロードキャスト信号の復号に成功しなかったという前記決定に少なくとも部分的に基づいて、前記第２のＣＥレベルを選択することと
をさらに備える、［Ｃ７］に記載の方法。
［Ｃ９］
前記ブロードキャスト信号は、物理ブロードキャストチャネル（ＰＢＣＨ）を備える、
［Ｃ１］に記載の方法。
［Ｃ１０］
前記第１のＣＥレベルおよび前記第２のＣＥレベルは、ＣＥレベルのセットから選択され、前記セットの各ＣＥレベルは、異なるカバレージ拡張値に対応する、
［Ｃ１］に記載の方法。
［Ｃ１１］
前記ブロードキャスト信号は、第３のＣＥレベルに従って送信され、前記第１のＣＥレベルは、前記第３のカバレージ拡張（ＣＥ）レベルよりも小さいカバレージ拡張を備える、
［Ｃ１］に記載の方法。
［Ｃ１２］
ワイヤレス通信のための装置であって、
ブロードキャスト信号を受信するための手段と、
第１のカバレージ拡張（ＣＥ）レベルを使用して前記ブロードキャスト信号の少なくとも一部分の復号に成功したかどうかを決定するための手段と、
前記第１のカバレージ拡張（ＣＥ）レベルを使用して前記ブロードキャスト信号の復号に成功したかどうかに少なくとも部分的に基づいて、前記第１のＣＥレベルまたは第２のＣＥレベルに従って通信するための手段と
を備える、装置。
［Ｃ１３］
前記第１のＣＥレベルを使用して前記ブロードキャスト信号の復号に成功しなかったと決定するための手段と、
前記第２のＣＥレベルを使用して前記ブロードキャスト信号の少なくとも前記一部分を復号するための手段、ここにおいて、前記第２のＣＥレベルは、前記第１のＣＥレベルよりも大きいカバレージ拡張を備え、前記通信するための手段は、前記第２のＣＥレベルに従って通信するように動作可能である、と
をさらに備える、［Ｃ１２］に記載の装置。
［Ｃ１４］
前記第１のＣＥレベルを使用して前記ブロードキャスト信号の復号に成功したと決定するための手段と、
後続のブロードキャスト信号を受信するための手段と、
前記第１のＣＥレベルを使用して前記後続のブロードキャスト信号の少なくとも一部分の復号に成功したかどうかを決定するための手段、ここにおいて、前記通信するための手段は、前記第１のＣＥレベルを使用して前記後続のブロードキャスト信号の復号に成功したかどうかに少なくとも部分的に基づいて、前記第１のＣＥレベルまたは前記第２のＣＥレベルに従って通信するように動作可能である、と
をさらに備える、［Ｃ１２］に記載の装置。
［Ｃ１５］
前記第１のＣＥレベルを使用して復号に成功したブロードキャスト信号の数がしきい値を超えると決定するための手段と、
前記第１のＣＥレベルを動作ＣＥレベルとして宣言するための手段、ここにおいて、前記通信は、前記第１のＣＥレベルに従う、と
をさらに備える、［Ｃ１２］に記載の装置。
［Ｃ１６］
前記第１のＣＥレベルまたは前記第２のＣＥレベルに従って前記通信するための手段は、
前記第１のＣＥレベルまたは前記第２のＣＥレベルに関連するリソース上でランダムアクセスチャネル（ＲＡＣＨ）メッセージを送信するための手段を備える、
［Ｃ１２］に記載の装置。
［Ｃ１７］
第１のＣＥレベルを使用して前記ブロードキャスト信号の少なくとも一部分の復号に成功したかどうかを前記決定するための手段は、
前記第１のＣＥレベルを使用して前記ブロードキャスト信号の前記一部分をテスト復号するための手段を備える、
［Ｃ１２］に記載の装置。
［Ｃ１８］
基準信号受信電力（ＲＳＲＰ）に少なくとも部分的に基づいてダウンリンク信号経路損失を測定するための手段と、
前記測定された経路損失に少なくとも部分的に基づいて前記第１のＣＥレベルを選択するための手段と
をさらに備える、［Ｃ１２］に記載の装置。
［Ｃ１９］
前記第１のＣＥレベルを使用して前記ブロードキャスト信号の復号に成功しなかったと決定するための手段と、
前記ブロードキャスト信号の復号に成功しなかったという前記決定に少なくとも部分的に基づいて、前記第２のＣＥレベルを選択するための手段と
をさらに備える、［Ｃ１８］に記載の装置。
［Ｃ２０］
前記ブロードキャスト信号は、物理ブロードキャストチャネル（ＰＢＣＨ）を備える、
［Ｃ１２］に記載の装置。
［Ｃ２１］
前記第１のＣＥレベルおよび前記第２のＣＥレベルはＣＥレベルのセットから選択され、前記セットの各ＣＥレベルは、異なるカバレージ拡張値に対応する、
［Ｃ１２］に記載の装置。
［Ｃ２２］
前記ブロードキャスト信号は、第３のＣＥレベルに従って送信され、前記第１のＣＥレベルは、前記第３のカバレージ拡張（ＣＥ）レベルよりも小さいカバレージ拡張を備える、
［Ｃ１２］に記載の装置。
［Ｃ２３］
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
ブロードキャスト信号を受信することと、
第１のカバレージ拡張（ＣＥ）レベルを使用して前記ブロードキャスト信号の少なくとも一部分の復号に成功したかどうかを決定することと、
前記第１のカバレージ拡張（ＣＥ）レベルを使用して前記ブロードキャスト信号の復号に成功したかどうかに少なくとも部分的に基づいて、前記第１のＣＥレベルまたは第２のＣＥレベルに従って通信することと
を行わせるように動作可能である、装置。
［Ｃ２４］
前記命令は、前記装置に、
前記第１のＣＥレベルを使用して前記ブロードキャスト信号の復号に成功しなかったと決定することと、
前記第２のＣＥレベルを使用して前記ブロードキャスト信号の少なくとも前記一部分を復号すること、ここにおいて、前記第２のＣＥレベルは、前記第１のＣＥレベルよりも大きいカバレージ拡張を備え、前記通信は、前記第２のＣＥレベルに従う、と
を行わせるように動作可能である、［Ｃ２３］に記載の装置。
［Ｃ２５］
前記命令は、前記装置に、
前記第１のＣＥレベルを使用して前記ブロードキャスト信号の復号に成功したと決定することと、
後続のブロードキャスト信号を受信することと、
前記第１のＣＥレベルを使用して前記後続のブロードキャスト信号の少なくとも一部分の復号に成功したかどうかを決定すること、ここにおいて、前記第１のＣＥレベルまたは前記第２のＣＥレベルに従う前記通信は、前記第１のＣＥレベルを使用して前記後続のブロードキャスト信号の復号に成功したかどうかに少なくとも部分的に基づく、と
を行わせるように動作可能である、［Ｃ２３］に記載の装置。
［Ｃ２６］
前記命令は、前記装置に、
前記第１のＣＥレベルを使用して復号に成功したブロードキャスト信号の数がしきい値を超えると決定することと、
前記第１のＣＥレベルを動作ＣＥレベルとして宣言すること、ここにおいて、前記通信は、前記第１のＣＥレベルに従う、と
を行わせるように動作可能である、［Ｃ２３］に記載の装置。
［Ｃ２７］
前記命令は、前記装置に、
前記第１のＣＥレベルまたは前記第２のＣＥレベルに関連するリソース上でランダムアクセスチャネル（ＲＡＣＨ）メッセージを送信することを行わせるように動作可能である、
［Ｃ２３］に記載の装置。
［Ｃ２８］
前記命令は、前記装置に、
前記第１のＣＥレベルを使用して前記ブロードキャスト信号の前記一部分をテスト復号することを行わせるように動作可能である、
［Ｃ２３］に記載の装置。
［Ｃ２９］
前記命令は、前記装置に、
基準信号受信電力（ＲＳＲＰ）に少なくとも部分的に基づいてダウンリンク信号経路損失を測定することと、
前記測定された経路損失に少なくとも部分的に基づいて前記第１のＣＥレベルを選択することと
を行わせるように動作可能である、［Ｃ２３］に記載の装置。
［Ｃ３０］
前記命令は、前記装置に、
前記第１のＣＥレベルを使用して前記ブロードキャスト信号の復号に成功しなかったと決定することと、
前記ブロードキャスト信号の復号に成功しなかったという前記決定に少なくとも部分的に基づいて、前記第２のＣＥレベルを選択することと
を行わせるように動作可能である、［Ｃ２９］に記載の装置。
［Ｃ３１］
ワイヤレス通信のためのコードを記憶する非一時的コンピュータ可読媒体であって、前記コードは、
ブロードキャスト信号を受信することと、
第１のカバレージ拡張（ＣＥ）レベルを使用して前記ブロードキャスト信号の少なくとも一部分の復号に成功したかどうかを決定することと、
前記第１のカバレージ拡張（ＣＥ）レベルを使用して前記ブロードキャスト信号の復号に成功したかどうかに少なくとも部分的に基づいて、前記第１のＣＥレベルまたは第２のＣＥレベルに従って通信することと
を行うために実行可能な命令を備える、非一時的コンピュータ可読媒体。
［Ｃ３２］
前記命令は、
前記第１のＣＥレベルを使用して前記ブロードキャスト信号の復号に成功しなかったと決定することと、
前記第２のＣＥレベルを使用して前記ブロードキャスト信号の少なくとも前記一部分を復号すること、ここにおいて、前記第２のＣＥレベルは、前記第１のＣＥレベルよりも大きいカバレージ拡張を備え、前記通信は、前記第２のＣＥレベルに従う、と
を行うために実行可能である、［Ｃ３１］に記載の非一時的コンピュータ可読媒体。
［Ｃ３３］
前記命令は、
前記第１のＣＥレベルを使用して前記ブロードキャスト信号の復号に成功したと決定することと、
後続のブロードキャスト信号を受信することと、
前記第１のＣＥレベルを使用して前記後続のブロードキャスト信号の少なくとも一部分の復号に成功したかどうかを決定すること、ここにおいて、前記第１のＣＥレベルまたは前記第２のＣＥレベルに従う前記通信は、前記第１のＣＥレベルを使用して前記後続のブロードキャスト信号の復号に成功したかどうかに少なくとも部分的に基づく、と
を行うために実行可能である、［Ｃ３１］に記載の非一時的コンピュータ可読媒体。
［Ｃ３４］
前記命令は、
前記第１のＣＥレベルを使用して復号に成功したブロードキャスト信号の数がしきい値を超えると決定することと、
前記第１のＣＥレベルを動作ＣＥレベルとして宣言すること、ここにおいて、前記通信が前記第１のＣＥレベルに従う、と
を行うために実行可能である、［Ｃ３１］に記載の非一時的コンピュータ可読媒体。
［Ｃ３５］
前記命令は、
前記第１のＣＥレベルまたは前記第２のＣＥレベルに関連するリソース上でランダムアクセスチャネル（ＲＡＣＨ）メッセージを送信することを行うために実行可能である、
［Ｃ３１］に記載の非一時的コンピュータ可読媒体。
［Ｃ３６］
前記命令は、
前記第１のＣＥレベルを使用して前記ブロードキャスト信号の前記一部分をテスト復号することを行うために実行可能である、
［Ｃ３１］に記載の非一時的コンピュータ可読媒体。
［Ｃ３７］
前記命令は、
基準信号受信電力（ＲＳＲＰ）に少なくとも部分的に基づいてダウンリンク信号経路損失を測定することと、
前記測定された経路損失に少なくとも部分的に基づいて前記第１のＣＥレベルを選択することと
を行うために実行可能である、［Ｃ３１］に記載の非一時的コンピュータ可読媒体。
［Ｃ３８］
前記命令は、
前記第１のＣＥレベルを使用して前記ブロードキャスト信号の復号に成功しなかったと決定することと、
前記ブロードキャスト信号の復号に成功しなかったという前記決定に少なくとも部分的に基づいて、前記第２のＣＥレベルを選択することと
を行うために実行可能である、［Ｃ３７］に記載の非一時的コンピュータ可読媒体。
【図１】
0006805185.tif 000002
【図２】
0006805185.tif 000003
【図３】
0006805185.tif 000004
【図４】
0006805185.tif 000005
【図５】
0006805185.tif 000006
【図６】
0006805185.tif 000007
【図７】
0006805185.tif 000008
【図８】
0006805185.tif 000009
【図９】
0006805185.tif 000010
【図１０】
0006805185.tif 000011
【図１１】
0006805185.tif 000012
【図１２】
0006805185.tif 000013